(57)【要約】【課題】照明器具の連結作業を容易に行うことが可能な連結形照明器具および送り配線および信号線を送り配線する場合に当該線の接触を防止可能な連結形照明器具を提供する。【解決手段】連結孔１０cを有する端板１０d同士を対向させて直線状に設置する複数の器具本体１０と；前記器具本体１０に取付けられる光源１２と；前記器具本体１０に配設されるとともに前記光源１２を点灯させる点灯装置１３と；前記器具本体１０の端板１０dに設けられた連結孔１０cに挿入可能であって内側に連通部を有する円筒状の本体部３１、本体部３１の略中央が前記連結孔１０cよりも径大になるように形成されて本体部３１の前記連結孔１０cへの挿入を規制する規制部３２、本体部３１の一端側の外周面に凸設されて前記規制部３２と協働して前記連結孔１０c周縁の端板１０dに係合する係合部３３からなる連結具３と；を具備しことを特徴とする。【選択図】図２
2009054545.tif 000002
【特許請求の範囲】
【請求項１】
連結孔を有する端板同士を対向させて直線状に設置する複数の器具本体と；
前記器具本体に取付けられる光源と；
前記器具本体に配設されるとともに前記光源を点灯させる点灯装置と；
前記器具本体の端板に設けられた連結孔に挿入可能であって一端側から他端側に連通する円筒状の本体部、本体部の略中央が前記連結孔よりも径大になるように形成されて本体部の前記連結孔への挿入を規制する規制部、本体部の一端側の外周面に凸設されて前記規制部と協働して前記連結孔周縁の端板に係合する係合部からなる連結具と；
を具備しことを特徴とする連結形照明器具。
【請求項２】
前記連結具は、内側を少なくとも２つ以上の空間に分離する仕切部を有していることを特徴とする請求項１記載の連結形照明器具。
【請求項３】
前記連結具は、一端側から他端側にかけて外周面から内側へ連通する切込みが形成された本体部を有することを特徴とする請求項１または２記載の連結形照明器具。
【発明の詳細な説明】
【技術分野】
【０００１】
本発明は、器具本体の端板同士を連結部材により長手方向に連結する連結形照明器具に関する。
【背景技術】
【０００２】
従来、隣合う箱状の器具本体の端板同士を連結部材で連結する手段として、端板に開口部を設けた器具本体をボルトおよびナットによって連結する連結形照明器具が知られている（例えば、特許文献１参照）。上記特許文献では、ボルトを中空としこのボルトの内部に配線を通して器具本体に配線用の貫通孔を穿設することなく、隣接する一方の照明器具から他方の照明器具へ送り配線できるものである。
【特許文献１】特開平１１−２５７２４号公報
【発明の開示】
【発明が解決しようとする課題】
【０００３】
しかしながら、上記従来技術において照明器具の連結は、隣合う器具本体を長手方向に配設し互いの連結用孔の位置を一致させたのちにボルトを取付ける必要がある。このため、連結用孔の位置を一致させるように連結用孔を確認しながら照明器具を配置し、さらにその状態を維持しながら連結作業を行う必要があり連結作業が非常に繁雑であった。
【０００４】
また、電源線と信号線を送り配線する場合、ボルトの中空部に電源線および信号線を挿入すると、電源線と信号線とが接触し、信号線にノイズが発生してしまうことがある。
【０００５】
本願発明は上記問題に鑑みなされたもので、照明器具の連結作業を容易に行うことが可能な連結形照明器具および送り配線および信号線を送り配線する場合に当該線の接触を防止可能な連結形照明器具を提供することを課題とする。
【課題を解決するための手段】
【０００６】
請求項１記載の連結形照明器具は、連結孔を有する端板同士を対向させて直線状に設置する複数の器具本体と；前記器具本体に取付けられる光源と；前記器具本体に配設されるとともに前記光源を点灯させる点灯装置と；前記器具本体の端板に設けられた連結孔に挿入可能であって内側に連通部を有する円筒状の本体部、本体部の略中央が前記連結孔よりも径大になるように形成されて本体部の前記連結孔への挿入を規制する規制部、本体部の一端側の外周面に凸設されて前記規制部と協働して前記連結孔周縁の端板に係合する係合部からなる連結具と；を具備しことを特徴とする。
【０００７】
光源は、直管形蛍光ランプ、コンパクト形蛍光ランプ、ＬＥＤなどを用いることができる。
【０００８】
連結具は、ＡＢＳ、ＰＢＴ、などの合成樹脂または金属によって形成することができるが、絶縁体で形成することが好ましく、加工性、絶縁性、コストなどを考慮すると合成樹脂が望ましい。
【０００９】
連結孔とは、器具本体の端板に例えば円形状または楕円形状に設けられた開口である。
【００１０】
連結具の規制部が連結孔よりも径大とは、本体部の径方向における規制部の差し渡し寸法が連結孔の差し渡し寸法よりも大きい事を意味し、規制部によって連結具の連結孔への挿入が規制されるものであれば規制部および連結孔の形状は特に限定されない。
【００１１】
係合部は、例えば連結具の一端側に所定間隔を設けて複数個形成してもよいし、連結具の外周面に周状に凸設してもよい。なお、係合部が形成される連結具の外周面において、本体部の径方向における最大の差し渡し寸法は連結孔よりも径大であって規制部の最大の差し渡し寸法よりも小さい事が好ましい。
【００１２】
つまり、規制部は連結具の係合部が連結孔を通過可能な押厚力を連結具に作用させても連結孔を通過しない構成とすることが好ましい。
【００１３】
請求項２記載の連結形照明器具は、前記連結具は、内側の連通部を少なくとも２つ以上の空間に分離する仕切部を有していることを特徴とする。
【００１４】
請求項３記載の連結形照明器具は、前記連結具は、一端側から他端側にかけて外周面から内側へ連通する切込みが形成された本体部を有することを特徴とする請求項２または３に記載の連結形照明器具。
【発明の効果】
【００１５】
請求項１の発明によれば、連結形照明器具の連結を容易に行うことができる。また、連結具を用いて送り配線できるため、照明器具に送り配線用の貫通孔を別途設ける必要がない。
【００１６】
請求項２の発明によれば、信号線および電源線を送り配線する場合であっても、連結部において当該線が接触することがなくノイズの発生を抑制することができる。
【００１７】
請求項３の発明によれば、信号線または電源線などを連結具の内部を通過させて配線するときに、連結具の一端側または他端側から挿入することなく、線上に連結具を取り付けることができる。また、連結具全体が変形しやすくなり連結具を照明器具に取り付けるときの作業が容易になる。
【発明を実施するための最良の形態】
【００１８】
以下、図面を参照して本発明の実施の形態について詳細に説明する。なお、同一構成部品は同一符号を付してその説明は省略する。
【００１９】
図１および図２は、本発明の第１実施の形態に係る連結形照明器具の照明器具の全体構成を示すものである。
【００２０】
照明器具１は、天板１０a、一対の側板１０b、連結孔１０cが設けられた一対の端板１０dからなり下方開口した長尺状の箱状をした器具本体１０と、この器具本体１０の天板１０aに取り付けられる反射板１１と、器具本体１０の両端部に設けられるランプソケット（図示せず）と、このランプソケットに着脱自在に装着される直管形蛍光ランプ１２、１２とから構成される。
【００２１】
反射板１１を器具本体１０に取付けたときに器具本体１０と反射板１１との間に形成される空間には、直管形蛍光ランプ１２、１２を点灯させるための１灯用の点灯装置１３、１３および電源または調光信号などを送り配線するための端子台１４が配設されている。
【００２２】
また、照明器具１は、器具本体１０の天板１０aに設けられた取付孔１０eに天井構造物などに設けられた取付ボルト１５を挿通し、ナット１６を用いて固定される。
【００２３】
図３は、連結形照明器具Ｌとしての照明器具１、２および連結具３を示す斜視図である。
【００２４】
器具本体１０、２０の端板１０d、２０dには連結具３を取付可能な連結孔１０c、２０cがそれぞれ設けられており、連結孔１０c、２０cが対向するときに互いの照明器具１、２はそれぞれ連結位置に配設される。
【００２５】
図４は、連結具３の全体を示す斜視図である。
【００２６】
連結具３は、内側に連通部を有する円筒状の本体部３１、本体部３１の外周面の中央から周状に垂直に立ち上がるように形成された規制部３２、本体部の一端側の外周面に所定間隔を設けて複数個凸設された係合部３３を有している。
【００２７】
規制部３２は、本体部３１の両端側よりも外周が径大になっている。
【００２８】
係合部３３は、本体部３１の一端側の外周面から他端側に向かって外周面から離間するように形成された傾斜部３４および本体部の外周面から垂直に立上がるとともに傾斜部３４の他端側に連続するように形成された立上がり部３５を有している。このため係合部３３は、一端側から他端側に向かうに従って外周面に対して垂直方向に肉厚が増すように形成されている。また、この立上がり部３５と規制部３２との間に所定の間隔を有している。
【００２９】
なお、係合部３３は本体部３３の外周面上に少なくとも２個以上配設されることが好ましいが、例えば等間隔に３個または４個など設置される位置および配設される個数はいくつでもよい。
【００３０】
図５は、照明器具１、２を連結具３によって連結させたときの断面図である。
【００３１】
図に示すように、連結具３の一端側は照明器具２の連結孔２０cに挿入されて規制部３２および係合部３３によって端板２０dに固定されている。また、連結具３の他端側は照明器具１の連結孔１０cに挿入されている。つまり、連結具３の他端側は端板１０dと係合しておらず容易に着脱可能な状態となっている。
【００３２】
また、連結具３の内側の連通部には配線５が通過している。
【００３３】
次に、本実施形態の連結形照明器具を連結させる方法について説明する。
【００３４】
まず、連結具３の一端側を照明器具２の端板２０dに形成された連結孔２０cに当接させる。このとき、連結孔２０c近傍の端板２０dの周縁と連結具３の傾斜部３４が当接する。この状態でさらに連結具３を挿入すると連結具３が変形しながら傾斜部３４が連結孔２０cを通過する。係合部３３が全て通過すると連結具３にかかる応力が無くなり、連結具３は変形した状態から初期の状態に戻る。このとき、端板２０dは連結具３の規制部３２に当接しそれ以上連結具３が挿入されることを防止する。さらに、この規制部３２と係合部３３の立ち上がり部３５とが共働することによって連結具３が端板２０dに固定される。
【００３５】
この状態で照明器具１の連結孔１０cを連結具３の他端側に突き合わせる。このとき、連結具３の他端側がガイドの役目となって、照明器具１の連結孔１０cに連結具３の他端側を容易に挿入することができる。つまり、照明器具１または２を動かして端板１０dと連結具３の他端側を当接させながら、連結具３が連結孔１０cに挿入可能な位置を探ることができるため、挿入部分を視認することができない状況であっても照明器具１および２を連結させることができる。そして、連結孔１０cに連結具３が挿入されると照明器具１の端板１０dと照明器具２の端板２０dとが対向するように連結された状態となる。
【００３６】
このように、予め照明器具を突き合わせて位置調整した後に連結作業を行う従来の方法に比べて、格段に作業性が向上する。
【００３７】
また、連結具３の一方側のみに係合部３３を設けたので、他端側に照明器具を連結させるときの設置作業または解体作業が容易になる。
【００３８】
さらに、連結具３の内側の連通部を利用して送り配線を行うことができるため送り配線のための貫通孔を器具本体に設ける必要がない。
【００３９】
なお、本実施形態では連結具３の一方側のみに係合部３３を設けた構成について説明したが、他端側にも係合部を設けた構成であってもよい。このような構成の場合には、照明器具を強固に連結することが可能となる。
【００４０】
図６は、第１実施の形態の変形例である連結具を一端側からみたときの正面図である。
【００４１】
変形例は、連結具３に本体部３１の一端側から他端側にかけて外周面から内側へ連通する切込み３７を有している。なお、その他の構成については第１実施の形態と同様であるため、同じ部分については同一符号を付してその詳細については説明を省略する。
【００４２】
このように、切込み３７を形成することによって外周面側から内側に電源線または信号線などの送り配線５を挿入することができる。
【００４３】
なお、切込み３７は配線５の直径よりも小さい寸法にしておくことが好ましい。この場合には、切込み３７から配線５を挿入するときに切込み３７の間隔を押し広げるように本体部３１を変形させて挿入する。このような構成にしておくことによって、連結具３の内側に配設した配線５が連結具３から外れることを防止することができる。
【００４４】
例えば、配線５が長く照明器具を連結した後に連結具３の内部に配線することが困難な場合は、予め連結孔１０c、２０cに配線５を通過させたのちに配線５上に連結具３を取付けることができる。
【００４５】
また、切込み３７を形成したことによって、本体部３１が変形しやすくなり連結具３の取付が容易になる。つまり、連結具３を照明器具の連結孔に挿入すると切込み３７の間隔が小さくなるように連結具が変形し、係合部３３が形成された外周面の差し渡し寸法が小さくなるため連結具３を連結孔へ挿入するときに必要な押圧力が小さくなる。
【００４６】
図７は、本発明の第２実施の形態に係る連結形照明器具の連結具の全体構成を示すものである。
【００４７】
第２の実施形態は、第１の実施形態の連結具において内側の連通部を２つの空間に分離する仕切部を有しているものである。なお、照明器具の構成等については実施例と同様であるため詳細な説明については省略する。
【００４８】
図に示すように、連結具４は、円筒状の本体部４１、本体部４１の外周面の中央から周状に垂直に立ち上がるように形成された規制部４２、本体部の一端側の外周面に所定間隔を設けて複数個凸設された係合部４３を有している。また、連結具４の内側には一端側から他端側に向かって板状の仕切部４６が形成されており、連通部を２つの空間に分離している。
【００４９】
なお、連結具４はＰＢＴ、ＡＢＳなどの合成樹脂で構成されている。
【００５０】
図８は、本発明の第２実施の形態に係る連結具で照明器具を連結させたときの断面図である。
【００５１】
連結具４の一端側は照明器具２の連結孔２０cに挿入されて規制部４２および係合部４３によって端板２０dに固定されている。また、連結具４の他端側は照明器具１の連結孔１０cに挿入されている。
【００５２】
ここで、仕切部４６によって連結具４の内側の連通部が２つの空間に分離されておりそれぞれ異なる種類の配線を配設することができる。ここでは、配線５として電源線５aおよび調光信号などの信号線５bを送り配線する場合について説明する。
【００５３】
通常、電源線５aは信号線５bに伝送される調光信号にノイズを発生させるため分離して配線される。このため、連結形照明器具においては、例えば貫通孔を２つ設けて別々に送り配線を行っていた。しかしながら、貫通孔を２つ設けるとともに別々に配線を行うと照明器具の製造工程が増し器具自体のコストが増加するとともに、組立て作業も繁雑になっていた。
【００５４】
これに対して、本実施形態の連結具４の構成によると、連結具４の内側に仕切部４６を設けることによって２種類の線を接触させることなく別々に配線することができる。
【００５５】
また、連結具４の材質を絶縁体であるＰＢＴ、ＡＢＳなどの樹脂とすることによって、電源線と信号線を同時に配線する場合の安全性を確保することができる。
【００５６】
また、連結具４を取り付けるための連結孔を設けるだけで、送り配線用の孔を別途設ける必要が無い。
【００５７】
なお、本実施形態では仕切部４６によって連結具４の内側の連通部を２つの空間に分ける場合について説明したが、３つまたは４つ以上の空間に分ける場合であっても同様な作用効果を得ることができる。
【００５８】
図９は、第２実施の形態の変形例である連結具を一端側からみたときの正面図である。
【００５９】
変形例は、連結具４に一端側から他端側にかけて外周面から内側へ連通する切込み４７を対向する位置に一対有している。なお、その他の構成については第２実施の形態と同様であるため、同じ部分については同一符号を付してその詳細については説明を省略する。
【００６０】
このように、切込み４７を形成することによって外周面側から内側に送り配線などの電源線または信号線を挿入することができる。
【００６１】
なお、この切込み４７は仕切部４６に対して、対向する位置に一対設けているので仕切部４６によって分離される２つの空間にそれぞれ異なる線を切込み４７から配設することができる。
【００６２】
また、切込み４７は配線５の直径よりも小さい寸法にしておくことが好ましい。この場合には、切込み４７から配線５を挿入するときに切込み４７の間隔を押し広げるように本体部４１を変形させて挿入する。このような構成にしておくことによって、連結具４の内側に配設した配線５が連結具４から外れることを防止することができる。
【００６３】
例えば、配線が長く照明器具１および２を連結した後に連結具４の内部に配線することが困難な場合は、予め連結孔１０c、２０cに電源線５a、信号線５bを通過させたのちに配線５上に連結具４を取付けることができる。
【００６４】
また、切込み４７を形成したことによって、本体部４１が変形しやすくなり連結具４の取付が容易になる。つまり、連結具４を照明器具２の連結孔２０cに挿入すると切込み４７の間隔が小さくなるように連結具４が変形し、係合部４３が形成された外周面の差し渡し寸法が小さくなるため連結具４を連結孔へ挿入するときに必要な押圧力が小さくなる。
【図面の簡単な説明】
【００６５】
【図１】第１実施の形態に係る照明器具を示す斜視図。
【図２】第１実施の形態に係る照明器具を示す下面図。
【図３】第１実施の形態に係る照明器具および連結具を示す斜視図。
【図４】第１実施の形態に係る連結具の全体を示す斜視図。
【図５】第１実施の形態に係る連結具によって照明器具を連結させたときの断面図。
【図６】第１実施の形態の変形例を示す連結具を一端側からみたときの正面図。
【図７】第２実施の形態に係る連結形照明器具の連結具の全体を示す斜視図。
【図８】第２実施の形態に係る連結具で照明器具を連結させたときの断面図。
【図９】第２実施の形態の変形例を示す連結具を一端側からみたときの正面図。
【符号の説明】
【００６６】
Ｌ…連結形照明器具    
１、２…照明器具
１０、２０…器具本体
１２…光源
１３…点灯装置
３、４…連結具
３１、４１…本体部
３２、４２…規制部
３３、４３…係合部
４６…仕切部
３７、４７…切込み
【図１】
2009054545.tif 000003
【図２】
2009054545.tif 000004
【図３】
2009054545.tif 000005
【図４】
2009054545.tif 000006
【図５】
2009054545.tif 000007
【図６】
2009054545.tif 000008
【図７】
2009054545.tif 000009
【図８】
2009054545.tif 000010
【図９】
2009054545.tif 000011